(57)【要約】【課題】簡便に実施をすることができ、認知症の予防や認知症の進行を抑制するために使用される解答用紙を提供すること。【解決手段】解答用紙１００は、設問から独立した解答欄２を備えた用紙であって、解答欄２に、円周状に複数配置された小問解答枠２２からなる解答枠群２１が備えられている。被験者は、設問の解答を記入するにあたり、円周状に記載された小問解答枠２２の平面的位置を認識する必要が生じる。また、解答枠群２１が独立して配置されているため、設問を解いてから、解答を記入するために小問解答を短期的に記憶する必要が生じる。このため、被験者に、平面的位置認識力と短期的記憶力とを活性化させることができ、本考案に係る解答用紙１００は、認知症の予防あるいは認知症の進行を抑制させることができる。【選択図】図１
0003219082.tif 000002
【実用新案登録請求の範囲】
【請求項１】
設問から独立した解答欄を備えた用紙であって、該解答欄に、円周状に複数配置された小問解答枠からなる解答枠群が備えられていることを特徴とする解答用紙。
【請求項２】
前記解答枠群に囲まれた中心部分に、包括解答枠が備えられていることを特徴とする請求項１に記載の解答用紙。
【請求項３】
前記解答欄と、前記設問が記載された設問欄と、を備えていることを特徴とする請求項１又は２に記載の解答用紙。
【考案の詳細な説明】
【技術分野】
【０００１】
本考案は、認知症の予防あるいは認知症の進行を抑制するために使用され、解答欄の配置の特徴により被験者の脳を活性化させることができる、解答用紙に関する。
【背景技術】
【０００２】
従来から、認知症の発症程度に応じた難度の問題を解答させることにより、被験者の脳を活性化させる方法が知られている。特許文献１には、使用者（被験者）が自らの手や指を使って、タブレットＰＣなどの専用端末機から提示される問題を解くことやアプリケーションを操作することによって、脳を活性化させ、認知症の予防あるいは認知症の進行を遅らすことを目的とする電子認知症予防訓練システムが記載されている。
【０００３】
また、認知症の予防あるいは認知症の進行を抑制することを目的とするものではないが、健康診断に使用される回答用紙として、特許文献２には、健診データチェック項目によるチェック結果を相関的に分かり易くリンクさせ、この相関関係から利用者の健康状態を容易に把握できるようにした回答用紙が記載されている。
【先行技術文献】
【特許文献】
【０００４】
【特許文献１】特開２０１７−２１５０１号公報
【特許文献２】実用新案登録第３１２９８３４号公報
【考案の概要】
【考案が解決しようとする課題】
【０００５】
しかしながら、特許文献１に記載の電子認知症予防訓練システムは、予め専用端末機に多数の問題やアプリケーションをインストールする必要があり、簡便に実施することができないという課題があった。また、特許文献２に記載の回答用紙は、チェック結果から健康状態を容易に把握することができるが、認知症の予防あるいは認知症の進行を抑制することができるものではなかった。
【０００６】
本考案は、上述の点に鑑みてなされたものであり、簡便に実施をすることができ、認知症の予防あるいは認知症の進行を抑制することができる解答用紙を提供することを目的とする。
【課題を解決するための手段】
【０００７】
本考案に係る解答用紙は、設問から独立した解答欄を備えた用紙であって、該解答欄に、円周状に複数配置された小問解答枠からなる解答枠群が備えられていることを特徴とする。
【０００８】
本考案の解答用紙によれば、円周状に小問解答枠が複数配置された解答枠群が備えられているため、被験者は、設問の解答を記入するにあたり、円周状に配置された小問解答枠の平面的位置を認識する必要が生じる。また、解答枠群が設問から独立して配置されているため、設問を解いてから、小問解答枠に解答を記入するために設問の解答を短期的に記憶する必要が生じる。このため、被験者の平面的位置認識力と短期的記憶力とを活性化させることができ、本考案に係る解答用紙は、認知症の予防あるいは認知症の進行を抑制することができる。
【０００９】
ここで、本考案に係る解答用紙において、前記解答枠群に囲まれた中心部分に、包括解答枠が備えられているものとすることができる。
【００１０】
これによれば、円周状をなす解答枠群に囲まれた中心部分に、包括解答枠が備えられているため、例えば、小問解答枠に記入する設問の解答が数値からなる場合、大問として、小問解答枠の数値の合計を求める設問を設定し、被験者に小問解答枠の数値の合計を計算させ、包括解答枠に記入させることにより、被験者の短期的記憶力をさらに活性化させることができる。
【００１１】
また、本考案に係る解答用紙において、前記解答欄と、前記設問が記載された設問欄と、を備えているものとすることができる。
【００１２】
これによれば、１枚の解答用紙に、解答欄と設問欄とが備えられた構成とすることができるため、別途設問用紙を用意する必要がない。
【考案の効果】
【００１３】
本考案の解答用紙によれば、被験者の平面的位置認識力と短期的記憶力とを活性化させることができ、認知症の予防あるいは認知症の進行を抑制することができる。
【図面の簡単な説明】
【００１４】
【図１】本考案の第一実施形態の解答用紙の平面図である。
【図２】第二実施形態の解答用紙の平面図である。
【図３】第三実施形態の解答用紙の平面図である。
【図４】第四実施形態の解答用紙の平面図である。
【考案を実施するための形態】
【００１５】
以下、本考案の第一実施形態の解答用紙を図面に基づいて説明する。図１に示すように、この解答用紙１００は、長手方向を上下方向とする矩形の用紙１表面に印刷が施されて形成され、用紙１の上側に設問欄３が印刷され、用紙１の下側に解答欄２が印刷されている。設問欄３は、上端側に大問３１が記載され、大問３１から下側に、８問の小問３２が記載されている。小問３２は、漢数字を含む漢字熟語の漢数字の穴埋め問題が記載され、その解答（以下、小問解答とする。）は数値となる。解答欄２は、用紙１の右下側に記載され、小問３２の設問数と同じ数である８個の小問解答枠２２から構成される円周状をなす解答枠群２１と、解答枠群２１に囲まれた中心部分に配置された１個の包括解答枠２３と、から構成される。包括解答枠２３に被験者が記入する解答（以下、包括解答とする。）は、８個の小問解答から導き出される数値とされ、ここでは、小問解答の数値の合計値とされる。
【００１６】
小問解答枠２２は、被験者が小問３２の設問に対する数値の小問解答を記入する枠であり、直径２０ｍｍの円形枠である。なお、「枠」とは、線から形成されるもののみならず、色分け又はぼかしによる境界から形成されるものも含むものである。小問解答枠２２は、小問３２の設問数と同じ数となる８個の小問解答枠２２が円周状に配置され、解答枠群２１を形成する。被験者は、大問３１の設問に従い、解答枠群２１の１２時の位置（用紙１における最上部となる位置）の小問解答枠２２から時計回りに小問３２の設問の解答となる数値の小問解答を埋める。解答枠群２１には、小問３２のそれぞれに対する記入すべき小問解答枠２２が指定されているわけではなく、図１の設問欄３の大問３１に記載されているように、小問解答枠２２の１２時の位置から時計回りに記入するように設問が設けられているため、被験者には、平面的位置認識力が求められる。
【００１７】
包括解答枠２３は、８個の小問解答から導き出される数値として、８個の小問解答の数値の合計となる包括解答を被験者に記入させる枠であり、直径３０ｍｍの円形枠である。包括解答枠２３は、円周状に配置された解答枠群２１の中心部分に配置される。設問欄３の大問３１には、図１に示すように、８個の小問の解答からの和を包括解答として包括解答枠２３に記入させるように、設問が設けられている。
【００１８】
包括解答枠２３と８個の小問解答枠２２からなる解答枠群２１は、図１に示すように、「ひまわり」などのキク科植物の花をイメージした配置がとられている。つまり、包括解答枠２３が中心となる筒状花となり、解答枠群２１が花びらである舌状花となり、小問解答枠２２がそれぞれ一枚ごとの花びらとなる。
【００１９】
設問欄３は、まとまった大きな問いを示す大問３１と、具体的な問いを示す小問３２とから構成され、用紙１の上端側に大問３１が記載され、大問３１から下側に８問の小問３２が記載されている。小問３２は、漢数字を含む漢字熟語の漢数字の穴埋め問題が記載され、その解答（小問解答）は数値となる。小問３２の例として、七転八起、千載一遇、三寒四温などの熟語から、漢数字を一文字伏せたものが挙げられる。小問３２の右には、その漢字熟語の意味がヒントとして記載されている。
【００２０】
次に、実施形態の解答用紙１００の使用方法について説明する。被験者は、大問３１に示された問いに対して、小問３２に記載された漢字熟語の穴埋問題の数値を思い起こす。被験者が思い起こした数値を、小問３２に穴埋め記入し又は記入することなく、小問３２から離れて独立した解答欄２の小問解答枠２２に記入することになるため、被験者は、解答を短期的に記憶する必要が生じる。
【００２１】
また、解答欄２の小問解答枠２２の集合体である解答枠群２１が、円周状に形成され、小問解答を基準の位置（ここでは１２時の位置）から所定回り方向（ここでは時計回り方向）に記入させるものであるため、被験者は、普段とは異なった方向に視線を動かして、小問解答枠２２の平面的位置を認識する必要が生じる。このため、実施形態の解答用紙１００は、被験者の短期的記憶力と平面的位置認識力を活性化させることができ、被験者の認知症の予防や認知症の進行を抑制することができる。
【００２２】
さらに、図１の設問欄３の大問３１に記載されているように、包括解答枠２３に、８個の小問解答の和（包括解答）を記入するように、設問が設けられている。このため、実施形態の解答用紙１００は、被験者に小問解答の数値を順に足していく際に、短期記憶力を必要とし、被験者の短期記憶力をより活性化させることができ、被験者の認知症の予防や認知症の進行を抑制させることができる。
【００２３】
以上のように構成された実施形態の解答用紙１００から把握される技術的思想について、以下に記載する。
【００２４】
本発明に係る解答用紙１００は、設問から独立した解答欄２を備えた用紙１であって、解答欄２は、用紙１表面に、小問解答枠２２が円周状に複数配置された解答枠群２１が備えられている。
【００２５】
解答用紙１００によれば、解答枠群２１として小問解答枠２２が円周状に複数配置されているため、解答用紙１００に解答を記入する被験者は、円周状に記載された小問解答枠２２の用紙１における平面的位置を認識する必要が生じる。また、設問から独立した解答欄２に解答を記入させるため、小問解答を短期的に記憶する必要が生じる。このため、被験者の平面的位置認識力と短期的記憶力とを活性化させることができ、被験者の認知症の予防や認知症の進行を抑制させることができる。
【００２６】
解答用紙１００において、解答欄２には、円周状に配置された解答枠群２１の中心部分に、包括解答枠２３が備えられている。
【００２７】
これによれば、円周状に配置された解答枠群２１の中心部分の包括解答枠２３に、例えば、被験者に包括解答として小問解答の合計値を計算させ、記入させることにより、被験者の短期的記憶力をさらに活性化させることができる。
【００２８】
また、解答用紙１００において、解答欄２と、小問の設問が記載された設問欄３と、を備えているものとすることができる。
【００２９】
これによれば、１枚の解答用紙１００に、解答欄２と設問欄３とが備えられた構成とすることができるため、別途設問用紙などを用意する必要がない。
【００３０】
また、実施形態の解答用紙１００は、その構成を以下のような形態に変更しても実施することができる。
【００３１】
実施形態の解答用紙１００では、用紙１に、解答欄２と設問欄３とを配置した構成としたが、図２〜４に示すように、解答欄２のみを配置した構成とすることができる。
【００３２】
これによれば、設問を、コンピューターを用いたスクリーン表示による提示や、人による朗読などによって行なう提示や、別紙（解答用紙１００とは一体になっていない別紙）による提示をすることができ、多彩な設問の提示方法を選択することができる。
【００３３】
第一実施形態の解答用紙１００の解答欄２では、円周状の解答枠群２１の中心部分に包括解答枠２３を備えた構成としたが、図２に示すように、第二実施形態の解答用紙として、円周状の解答枠群２１のみを備えた構成（解答用紙１００Ａ）とすることができる。なお、第二、第三及び第四実施形態において、第一実施形態と共通する構成要素には、同じ符号を用いることとする。
【００３４】
これによれば、包括解答がない構成とすることができる。また、円周状の解答枠群２１の中心の余白や、解答欄２の欄外に、包括解答を記入させる構成とすることができる。
【００３５】
第一実施形態の解答用紙１００では、小問解答枠２２の数、つまり、小問３２の数は、８個としたが、４〜１２個とすることができる。
【００３６】
これによれば、解答欄２の見目が良く、円周状に配置された小問解答枠２２の位置を把握しやすくなるためである。小問解答枠２２の数が４個未満である場合には、解答欄２の見目が悪くなるおそれがある。図３に、第三実施形態の解答用紙として、小問解答枠２２の数が４個の解答用紙１００Ｂを記載する。一方、小問解答枠２２の数が１２個を超えると、円周状に配置された小問解答枠２２の位置が把握しにくくなるおそれがあり、さらに、小問解答の数が多くなり、かえって包括解答を導き出すことが困難となり、解答意欲を低下させてしまうおそれがある。図４に、第四実施形態の解答用紙として、小問解答枠２２の数が１２個の解答用紙１００Ｃを記載する。より好ましくは、小問３２の数は、６〜１０個であり、さらに好ましくは第一実施形態の解答用紙１００に示すように８個である。
【００３７】
実施形態の解答用紙１００の解答欄２の小問解答枠２２は、直径２０ｍｍの円形枠としたが、直径５〜５０ｍｍの円形枠とすることができる。
【００３８】
これによれば、被験者の小問の解答の記入を容易にすることができる。小問解答枠２２の直径が５ｍｍ未満だと、小問解答枠２２が小さ過ぎ、被験者の小問の解答の記入が困難となるおそれがある。一方、５０ｍｍを超えると、用紙１に対して小問解答枠２２が大きくなりすぎ、相対的に設問欄３の設問（大問３１と小問３２）が小さくなり、被験者にとって読み取りが困難になるおそれがある。より好ましくは、小問解答枠２２は、直径１０〜３０ｍｍである。
【００３９】
第一実施形態の解答用紙１００の解答欄２の包括解答枠２３は、直径３０ｍｍの円形枠としたが、直径５〜５０ｍｍの円形枠とすることができる。
【００４０】
これによれば、被験者の包括解答の記入を容易にすることができる。包括解答枠２３の直径が５ｍｍ未満だと、包括解答枠２３が小さ過ぎ、被験者の包括解答の記入が困難となるおそれがある。一方、５０ｍｍを超えると、用紙１に対して包括解答枠２３が大きくなりすぎ、相対的に設問欄３の設問（大問３１と小問３２）が小さくなり、被験者にとって読み取りが困難になるおそれがある。より好ましくは、包括解答枠２３は、直径２０〜４０ｍｍである。
【００４１】
また、実施形態の解答用紙１００の解答欄２の小問解答枠２２と包括解答枠２３の形状は、円形枠としたが、３〜８角形の多角形形状枠としても良い。
【００４２】
実施形態の解答用紙１００の設問欄３の小問３２は、漢数字が含まれた熟語から漢数字を一文字伏せて、伏せた漢数字を答えとして求める設問としたが、例えば、「プロ野球の○○選手の背番号は？」や「日本にある世界遺産の数は？」というように、数字を直接答えとするものであっても良い。但し、設問の答えとなる数字は、被験者が普段の生活の中で用いる数字である１〜１万までの数字が好ましい。また、枝番が付された選択問題から正解の枝番の数字を答えとする設問であっても良い。
【００４３】
また、実施形態の解答用紙１００の設問欄３の大問３１は、小問３２の答えの漢数字が示す数値の合計を求める設問としたが、小問３２が漢字を求める設問とし、大問３１が小問の解答の上位概念を求める設問としても良い。例えば、小問３２が求める解答として、松、杉、檜などとし、大問３１が求める解答として、針葉樹（植物）とすることができる。
【符号の説明】
【００４４】
１…用紙、２…解答欄、３…設問欄、２１…解答枠群、２２…小問解答枠、２３…包括解答枠、３１…大問、３２…小問、１００，１００Ａ，１００Ｂ，１００Ｃ…解答用紙。
【図１】
0003219082.tif 000003
【図２】
0003219082.tif 000004
【図３】
0003219082.tif 000005
【図４】
0003219082.tif 000006
【手続補正書】
【提出日】平成30年10月4日(2018.10.4)
【手続補正１】
【補正対象書類名】実用新案登録請求の範囲
【補正対象項目名】全文
【補正方法】変更
【補正の内容】
【実用新案登録請求の範囲】
【請求項１】
設問から独立した解答欄を備えた用紙であって、該解答欄に、円周状に複数配置された小問解答枠からなる解答枠群が印刷されていることを特徴とする解答用紙。
【請求項２】
前記解答枠群に囲まれた中心部分に、包括解答枠がさらに印刷されていることを特徴とする請求項１に記載の解答用紙。
【請求項３】
前記解答欄が前記用紙の下側に印刷され、前記設問が記載された設問欄が前記用紙の上側に印刷されていることを特徴とする請求項１又は２に記載の解答用紙。
【手続補正２】
【補正対象書類名】明細書
【補正対象項目名】０００７
【補正方法】変更
【補正の内容】
【０００７】
本考案に係る解答用紙は、設問から独立した解答欄を備えた用紙であって、該解答欄に、円周状に複数配置された小問解答枠からなる解答枠群が印刷されていることを特徴とする。
【手続補正３】
【補正対象書類名】明細書
【補正対象項目名】０００８
【補正方法】変更
【補正の内容】
【０００８】
本考案の解答用紙によれば、円周状に小問解答枠が複数配置された解答枠群が印刷されているため、被験者は、設問の解答を記入するにあたり、円周状に配置された小問解答枠の平面的位置を認識する必要が生じる。また、解答枠群が設問から独立して配置されているため、設問を解いてから、小問解答枠に解答を記入するために設問の解答を短期的に記憶する必要が生じる。このため、被験者の平面的位置認識力と短期的記憶力とを活性化させることができ、本考案に係る解答用紙は、認知症の予防あるいは認知症の進行を抑制することができる。
【手続補正４】
【補正対象書類名】明細書
【補正対象項目名】０００９
【補正方法】変更
【補正の内容】
【０００９】
ここで、本考案に係る解答用紙において、前記解答枠群に囲まれた中心部分に、包括解答枠がさらに印刷されているものとすることができる。
【手続補正５】
【補正対象書類名】明細書
【補正対象項目名】００１０
【補正方法】変更
【補正の内容】
【００１０】
これによれば、円周状をなす解答枠群に囲まれた中心部分に、包括解答枠がさらに印刷されているため、例えば、小問解答枠に記入する設問の解答が数値からなる場合、大問として、小問解答枠の数値の合計を求める設問を設定し、被験者に小問解答枠の数値の合計を計算させ、包括解答枠に記入させることにより、被験者の短期的記憶力をさらに活性化させることができる。
【手続補正６】
【補正対象書類名】明細書
【補正対象項目名】００１１
【補正方法】変更
【補正の内容】
【００１１】
また、本考案に係る解答用紙において、前記解答欄が前記用紙の下側に印刷され、前記設問が記載された設問欄が前記用紙の上側に印刷されているものとすることができる。
【手続補正７】
【補正対象書類名】明細書
【補正対象項目名】００１２
【補正方法】変更
【補正の内容】
【００１２】
これによれば、１枚の解答用紙に、解答欄と設問欄とが印刷された構成とすることができるため、別途設問用紙を用意する必要がない。